(57)【要約】      （修正有）【課題】雨、埃や強い風から直接干し物を濡らすことがなく、それを守ることができる物干し器の提供。【解決手段】平面台両端の支柱、平面台中心のスライド式支柱からなる逆山型形状をした物のスライド式支柱に形成した円形の空洞へ物干し竿１を通し、物干し竿に沿って移動が出来る。両端支柱側面と平面台上面にマジックテープ（登録商標）のオンを貼り、ビニール製シート２の上面から両側面にかけた裏面の横一列必要な箇所に、マジックテープのメンを貼る。逆山形形状をした物の両端支柱側面と平面台上面のマジックテープと、シート上面から両側面にかけた裏面のマジックテープとを合着し、逆山形形状をした物とシートを一体とする。スライド式のスライド棒状のパイプに凹型をして前へ大きくでた突起物を設け、その面にマジックテープを貼りこのテープと凹型の側面のテープとを合着することによってシートの必要な幅が保たれ、その空間に物干し竿が存在する。【選択図】図１
2006326254.tif 000002
【特許請求の範囲】
【請求項１】
逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。
【発明の詳細な説明】
【技術分野】
【０００１】逆山型の形状をした物の中心部分に円形の空洞があり、そのなかへ物干し竿を通していて、その物自体が自由左右に移動が出来る物である、その物の両端にＴ型をした支柱があり、その両側。側面には平面の面があり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに凹型をして、前へ大きくでた突起物があり、その面にマジックテープが設けている。このテープと凹型の側面のテープとを合着することによって、、シートと固定することにより、必要な大きさの幅が保たれるその空間に物干し竿が存在し、、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。［肯景技術］【０００２】逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。［発明の開示］［発明が解決しょうとする課題］【０００３】逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。［課題を解決するための手段］【０００４】逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。［発明の効果］【０００５】逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。［発明を実施するための最良の形態］【０００６】逆山型の形状をした物の中心部分に円形の空洞があり、そのなかへ物干し竿を通していて、、その物自体が自由左右に移動が出来る物である、その物の両端にＴ型をした支柱があり、その両側。側面には平面の面あり、その各面にマジックテープのオンが貼られている、また、透明で柔らかく、強いビニール製のシートがその上を覆うことになっている。そのシートの上面の裏面には、横一列に任意の必要な箇所に、マジックテープのメンが貼られている。それらを合着することによって、シートと山型が一体になる。シートを二つ折をした両側の必要な任意の位置に必要な大きさのマジックテープのメンを設けている。シートが山型を覆っている、そうして任意の幅の広さにシートを固定することが出来きるように、スライド式のスライド棒状のパイプに、凹型をして、前へ大きくでた突起物があり、その面にマジックテープが設けている。このテープと凹型の側面のテープとを合着することによって、シートと固定することにより、必要な大きさの幅が保たれる、その空間に物干し竿が存在し、物干し竿に干す物を干していても、雨，埃や強い風から直接干し物を濡らすことがなく、それを守ることができるので、大変べんりなものである。今までは干し物を干して、外出している時、突然夕立が降り、干し物が濡れて嫌な想いをしていた、が本発明品を使用することによって，その様な想いをしなくて済み、安心して外出が出来、大変便利である。
【図面の簡単な説明】
【０００７】
【図１】本発明の斜視図
【図２】本発明の各部分品の斜視図
【符号の説明】
【０００８】１    山型のＨ形状についている穴を通っている物干竿２    ビニール製のシート３    山型のＨ形状に付いているマジックテープオン４    山型のＨ形状の支柱５    山型のＨ形状の支柱の先端の平面台６    シートを支える支柱と、両側との間を設けるＨ形状支柱棒７    シートの天面の裏面に付いているマジックテープのメン８    スライド式のスライド部分の支柱９    シートと支柱を固定するマシックテープを貼っている部１０  物干し竿にかかつているハンガ１１  物干し竿を通す山型に付いている穴
【図１】
2006326254.tif 000003
【図２】
2006326254.tif 000004